(57)【特許請求の範囲】
【請求項１】
少なくとも一面に粗面として形成された付着部が設けられ且つ前記付着部が設けられた面以外の一対の対向面に開口する貫通孔が設けられているブロック体を、前記付着部を上面とし且つ隣接するブロック体同士が接する側面では隙間が生じないように水槽底面に複数配置し、藻類の生殖細胞を前記水槽に入れて前記付着部に付着させる生殖細胞付着期と、
前記生殖細胞が付着したブロック体の前記貫通孔に、連結部材を挿入させて複数のブロック体を密接した状態で前記連結部材に取り付けて、前記連結部材によって前記複数のブロック体を水中に吊り下げた状態で藻類を育成する中間育成期と、
前記中間育成期を経た藻類を、海中の移設場所に前記ブロック体ごと前記連結部材で取り付ける海中育成期とを含むことを特徴とする藻類の育成方法。
【請求項２】
前記ブロック体が、前記貫通孔が開口する対向面が平行な面であり、前記対向面の一面には突部が形成され、他面には凹部が形成されており、且つ二以上のブロック体が、前記貫通孔が連通するように配置された場合に、前記突部が隣接するブロック体の前記凹部に嵌合可能に設けられている請求項１に記載の藻類の育成方法。
【発明の詳細な説明】
【技術分野】
【０００１】
本発明は、藻類を人工的に育成する藻類の育成方法に関するものである。
【背景技術】
【０００２】
近年、食用などに用いられる藻類を養殖することが試みられている。藻類の中でも、特に食用に多く用いられるヒジキなどのホンダワラ類は、需要が多いため大量に養殖することが検討されている。
しかし、ホンダワラ類、特にヒジキの生殖細胞（幼胚）は、球形に近い形状であるため、種糸などの養殖用の部材に直接付着させることが難しく、養殖するには、天然の稚ヒジキを海域から採取して、ロープなどに植えつけて養殖することが行われている。
あるいは、天然のヒジキを採取し、この親ヒジキからヒジキの幼胚を採取し、この幼胚を一旦ブロックなどに着床させて稚ヒジキにまで育成させた後に、この稚ヒジキをかきとってロープに付着させてロープを海中に移設することが行なわれている。
このようにヒジキを養殖させる作業は非常に手間がかかるため、大量に養殖することは困難である。
【０００３】
人工的に藻類を養殖するための構造体としては、例えば、特許文献１乃至特許文献５に記載されているようなものが提案されている。
すなわち、藻類を育成するための育成部が設けられた構造体であって、アンカーやロープなどに着脱自在に設けられた構造体である。
これらの構造体は、前記育成部内に藻類を植えてある程度まで生育させてから、藻場を形成したい目的の場所に移設し、藻場増殖礁を形成する。
【０００４】
しかしながら、これらの構造体は、ある程度まで藻類を育成させる間も、海底に設置したアンカーや、魚類避けのカゴ状体の内部に設置して藻類を育成したり、あるいは海中のロープに構造体を吊り下げて藻類を育成させるものであるため、水槽などの限られたスペースで効率よく育成を行なうには適していない。
【先行技術文献】
【特許文献】
【０００５】
【特許文献１】特開２００１−２５３２９号公報
【特許文献２】特開２００２−２８１８４９号公報
【特許文献３】特開２００７−１９５４０９号公報
【特許文献４】特許第４３３８７０９号公報
【特許文献５】特許第４４３９４８２号公報
【発明の概要】
【発明が解決しようとする課題】
【０００６】
本発明は、上記のような問題点に鑑みてなされたものであり、効率よく大量の藻類の養殖を行うことができる藻類の育成方法を提供することを課題としている。
【課題を解決するための手段】
【０００７】
藻類の育成方法としての本発明は、少なくとも一面に粗面として形成された付着部が設けられ且つ前記付着部が設けられた面以外の一対の対向面に開口する貫通孔が設けられているブロック体を、前記付着部を上面とし且つ隣接するブロック体同士が接する側面では隙間が生じないように水槽底面に複数配置し、藻類の生殖細胞を前記水槽に入れて前記付着部に付着させる生殖細胞付着期と、前記生殖細胞が付着したブロック体の前記貫通孔に、連結部材を挿入させて複数のブロック体を密接した状態で前記連結部材に取り付けて、前記連結部材によって前記複数のブロック体を水中に吊り下げた状態で藻類を育成する中間育成期と、前記中間育成期を経た藻類を、海中の移設場所に前記ブロック体ごと前記連結部材で取り付ける海中育成期とを含むことを特徴としている。
【発明の効果】
【０００８】
本発明によれば、省スペースで藻類の養殖を行なうことを容易に行うことができる。
【図面の簡単な説明】
【０００９】
【図１】（ａ）本実施形態の藻類の育成部材用ブロックを示す平面図、（ｂ）（ｃ）同側面図、（ｄ）同Ａ−Ａ線断面図、（e）同斜視図。
【図２】本実施形態の藻類の育成部材を示す平面図。
【図３】（ａ）（ｂ）（ｃ）本実施形態の藻類の育成部材の使用状態を示す概略図
【図４】（ａ）（ｂ）（ｃ）他の実施形態の藻類の育成部材を示す平面図
【発明を実施するための形態】
【００１０】
以下に、本発明の実施の形態について説明する。
まず、本発明の藻類の育成部材用のブロックについて図１に従って説明する。
本実施形態の藻類の育成部材用のブロック１０は、図１（ａ）〜（ｅ）に示すように、六体形状のブロック体１を備えている。
該ブロック体１の上面１ａは、表面に細かい凹凸を有する粗面からなる付着部２が形成されている。
【００１１】
さらに、前記ブロック体１には、対向する側面１ｂ、１ｃに開口部３を有する貫通孔４が形成されている。
該貫通孔４は、前記開口部３の形状が図１（ｂ）（ｃ）に示すように十字状になるように形成されており、開口部３の上下方向の長さが相違している。
【００１２】
さらに、前記ブロック体１の側面１ｂ,１ｃのうち一方の側面１ｂには、開口部３の斜め上部と斜め下部に一つずつ計２個の凹部５ａ,５ｂが形成されている。
また、他方の側面１ｃには、開口部３の斜め上部と斜め下部に一つずつ計２個の突部６ａ,６ｂが形成されている。
【００１３】
前記凹部５ａ,５ｂと、前記突部６ａ,６ｂは、対向する側面１ｂ、１ｃの対応する位置にそれぞれ形成されており、且つ、前記突部６ａ,６ｂは前記凹部５ａ,５ｂに嵌合可能な形状およびサイズに形成されている。
すなわち、複数のブロックを密着した状態で隣接させた場合には、一つのブロックの突部６ａ,６ｂが、隣接するブロック体の凹部５ａ,５ｂに嵌合される。
これらの形状により、ブロックを２個以上連結させる際に、前記突部６ａ,６ｂが、隣接するブロックの対応する位置に形成された凹部５ａ,５ｂに嵌合され、連結されたブロックとブロックの間に隙間が生じず、水槽底面に隙間なく敷き詰めた際にも汚れが付きづらい。また、後述するような育成段階において水槽中に吊り下げる際にも、ブロック１個１個がずれたり、回転することが無いため、常に均一な面を形成することができ、藻類が脱落したり損傷することが無い。
【００１４】
前記付着部２は、藻類の生殖細胞が付着しやすいように粗化されている。
粗化の度合いは、育成する藻類の生殖細胞のサイズや形状に合わせて適宜調整可能であるが、例えば、ヒジキなどホンダワラ類の藻類の幼胚を付着させる場合には、深さ２〜１００μｍ、好ましくは５〜３０μｍ程度の凹凸がある粗面であることが好ましい。
また、前記幼胚が入り込める程度の深さ２００〜５００μｍ、好ましくは２００〜３００μｍ程度のくぼみが形成されており、このくぼみの幅が２００〜５００μｍ、好ましくは２００〜３００μｍ程度であることが好ましい。
前記くぼみの表面に前記凹凸が形成されている場合には、さらに、幼胚を確実に保持でき、且つ仮根の成長も阻害しないため、特に好ましい。
尚、前記くぼみの深さおよび幅は工具顕微鏡にて測定できる。尚、前記くぼみの深さは、最も深い箇所と、くぼみの周縁に囲まれた内部における最も高い箇所の高さの差を測定する。  前記くぼみの幅は、周縁部の内径の最も長い箇所の長さをいう。
さらに、前記凹凸の深さについては、一般的な面粗さ測定器で測定することができる算術平均粗さ（Ra）が前記凹凸の深さの数値となる。
【００１５】
前記付着部２を形成する方法としては、ブロック体１を一体成形などによって形成する際に同時に凹凸を形成してもよく、あるいはブロック体１の成形後に、サンドペーパーなどによってブロック体の一面を粗化処理することで形成してもよい。
【００１６】
前記ブロック体１は、量産可能な形状の自由度が大きく、かつ量産性に優れるポリオレフィンなどの合成樹脂から一体的に成形されることが好ましい。
【００１７】
さらに前記ブロック体１の大きさは養殖する藻類の種類などに応じて適宜設計することが可能であるが、例えば、前記ブロック体１の上面１ａが縦横１０〜２０ｍｍ程度、高さは、５〜１５ｍｍ程度であることが好ましく、さらに、好ましくは１０ｍｍ程度であることが、設置場所の省スペースおよび取り扱いのしやすさの観点から好ましい。
【００１８】
本実施形態のブロック体１は、上面１ａ、貫通孔４の開口部３、前記凹部５ａ,５ｂおよび前記突部６ａ,６ｂ以外の表面が平滑に形成されていることが好ましい。
平滑な面にすることで育成する藻類以外の生物など本来付着させたくない汚れが付きづらく、これを除去する手間を軽減することが出来る。
【００１９】
次に、前記構成からなる育成部材用ブロックを備えた藻類の育成部材について説明する。
本実施形態の藻類の育成用部材２０は、図２に示すように、前記構成からなる育成部材用ブロック１０ａ，１０ｂ・・・が、連結部材としての連結コード２１に取り付けられた構成からなる。
【００２０】
前記連結コード２１は、可撓性を有するポリオレフィンなどの合成樹脂製のコードであり、一方の端部には、他方の端部である先端部２４を挿入して係止可能な係止孔２５ａが形成された係止部２５が設けられている。
前記連結コード２１上面には複数の鋸刃状の係止突起２２が形成されている。
前記係止部２５には、先端部２４を挿入した後、前記係止突起２２を係止する係止爪（図示セズ）が形成されており、連結コード２１の他方の端部を係止部２５に挿入した場合には係止爪で係止突起２２が係止されることで、連結コード２１の任意の箇所で固定可能に形成されている。
前記連結コード２１は、前記ブロック体１の貫通孔４に挿入可能な幅と厚みに形成されている。
【００２１】
前記構成からなる連結コード２１を、複数の育成部材用のブロック１０に貫通させて連結していく。
まず、ブロック１０ａを隣接するブロック１０ｂに密着させるが、このとき、ブロック１０ｂの一側面に形成された前記突部６ａ,６ｂが、隣接するブロック１０ａの対応する位置に形成された凹部５ａ,５ｂに嵌合されるため、隣接するブロック１０ａ，１０ｂは、前記突部６ａ,６ｂと凹部５ａ,５ｂの嵌合結合により、ずれることなく密着した状態に連結される。
【００２２】
次に、前記構成からなる藻類の育成部材２０を使用して、藻類を育成する方法について説明する。
藻類、たとえば、ヒジキなどのホンダワラ科の海藻は、幼胚といわれる種子が親ヒジキから海中に放出され、通常は、岩などに付着して育成する。
本実施形態では、まず図３（ａ）に示すように前記密着した状態でブロック１０を連結した育成部材２０を、前記付着部２が上面になるように水槽の底面に隙間なく設置する。
そして、水槽中に親ヒジキを入れ、幼胚を水中に放散させる。
【００２３】
水中に放散された幼胚はやがて水槽底部へ落下していくが、前記のように水槽底部に設置された育成部材２０の付着部２が露出しているため、幼胚は付着部２に付着する。
前記のように付着部２はヒジキの幼胚が付着しやすい程度の粗さに粗化されているため、幼胚は付着部２に確実に付着することができる。
【００２４】
前記付着部２に幼胚が付着したことを確認できたら、図３（ｂ）のように水槽内にロープなどを張り、該ロープに前記連結コード２１の係止孔２５ａを挿入させて、水槽内に吊り下げた状態でヒジキを育成する。
このように吊り下げた状態で、水槽内で育成することによって、限られたスペースでも多くの育成部材２０を配置することができる。
【００２５】
幼胚を付着させるための水槽と、吊り下げて育成させるための水槽を別に用意すれば、幼胚を付着させた育成部材を順次吊り下げて育成させる水槽へ移動させることで、幼胚の付着、育成を同時に行なうことができ、大量のヒジキの養殖が効率よく行なえる。
【００２６】
さらに、水槽内で吊り下げられた状態で稚ヒジキにまで育成され、さらに海中へ移設される。
移設時には、図３（ｃ）に示すように、各ブロック１０を一つずつ連結コード２１に取り付け、前記連結コード２１を海中に設置されたロープ２０１に巻きつけて、前記係止部２５の係止孔２５ａに連結コード２１の先端部２４を挿入して係止するだけで、簡単に海中のロープ２０１への育成部材の移設が行なえる。
【００２７】
尚、上記実施形態では、ブロック体１として六面体のものを用いたが、ブロック体１の形状としては六面体に限定されるものではなく、図４（ａ）に示すような付着部となる上面が六角形のブロック体、図４（ｂ）に示すような上面が三角形である三角柱のようなブロック体であってもよい。
さらには、図４（ｃ）に示すような上面が平面な面であり、側面が曲面であるブロック体であっても、隣接するブロック体同士が隙間なく密着可能な形状であれば、特にブロック体の形状は限定されるものではない。
尚、図４（ｂ）のような上面が三角形状のブロック体のように、隣接する面が平行な面ではない場合には、互いに対称な形状の２種類のブロック体１ａ，１ｂが互い違いに同方向になるように組み合わされて隣接されることが好ましい。
【００２８】
上述のとおり、上記課題を解決するために藻類の生殖細胞が付着可能な付着部が少なくとも一面に設けられたブロック体からなる、藻類の育成部材用ブロックであって、前記付着部が粗面であり、前記付着部を上面にして周囲に複数のブロック体を並べた場合に、前記上面が連続する面となり且つ各ブロック体同士が接する側面では隙間が生じないように形成され、前記ブロック体には、前記付着部が設けられた面以外の一対の対向面に開口する貫通孔が設けられていることを特徴とする藻類の育成部材用ブロックを提供する。
【００２９】
かかる藻類の育成部材用ブロックによれば、ブロック体が前記付着部を上面にして周囲に複数のブロック体を並べた場合に、前記付着部が設けられた上面が連続する面となり且つ各ブロック体同士が接する側面では隙間が生じないように形成されたため、水槽などの底部に配置する場合に、縦方向や横方向に、隙間なく平面状に並べることができ、多くのブロックを省スペースで配置することができる。
また、複数のブロック体を隙間なく並べた場合に各ブロック間に隙間が生じないことによって、水中に露出している面を少なくでき、側面に目的の藻類以外の汚れなどが付着しにくい。
【００３０】
さらに、前記付着部は粗面であるため、藻類の生殖細胞が付着しやすい。
また、ブロック体に貫通孔が設けられているため、各ブロック体を連結する場合には該貫通孔に連結用の部材を貫通させることができ、簡単に複数のブロック体を連結することができるほか、連続する面を簡単に形成することができる。
【００３１】
尚、上記ブロック体の形状は、五面体、六面体、八面体または十二面体などの平面からなる立体形状であってもよく、あるいは、円柱状、または上下面に平面を有し側面が曲面面からなるような立体形状でもよく、要は、平面状に複数のブロック体を並べた場合に、前記付着部の形成された面が連続する面に形成され且つ側面同士が隙間なく密着するような形状であればよい。
【００３２】
また、前記貫通孔が開口する対向面が平行な面であり、前記対向面の一面には突部が形成され、他面には凹部が形成されており、且つ二以上のブロック体が、前記貫通孔が連通するように配置された場合に、前記突部が隣接するブロック体の前記凹部に嵌合可能に設けられていることが好ましい。
この場合には、複数のブロックを隣接して配置させた際に、ブロック体の突部を隣接するブロック体の凹部内に嵌合させることで、ブロック体同士を固定することができ、連続する面を容易に作ることができる。特に吊り下げた状態でこの連続面を維持することができる点で、この嵌合構造は非常に有用である。
【００３３】
また、前記のいずれかの藻類の育成部材ブロックと、前記貫通孔に貫通されてブロック体に取り付けられる連結部材とを備えたことを特徴とする藻類の育成部材を提供する。
このような藻類の育成部材は、ブロック体の連結部材への取り付け方法が、連結部材を貫通孔に貫通させているだけで簡単に行なえるため、ブロック体を海中へ移設する作業が容易に行える。
【００３４】
さらに、複数の前記藻類の育成部材用ブロックが前記連結部材に取り付けられ、且つ前記複数の藻類の育成用ブロックが隙間なく密着するように配置されていることが好ましい。
このように、複数の育成部材用ブロックを連結部材に取り付けて、各ブロック体が密着するように連結した場合には、多数のブロックをコンパクトに水槽などに配置することができ、限られたスペース内で大量の藻類を育成することが可能になる。
【符号の説明】
【００３５】
１  ブロック体、
２  付着部、
４  貫通孔、
５ａ,５ｂ  凹部、
６ａ,６ｂ  突部、
２０  育成部材、
２１  連結コード（連結部材）
【図１】
0005924605.tif 000002
【図２】
0005924605.tif 000003
【図３】
0005924605.tif 000004
【図４】
0005924605.tif 000005